(57)【特許請求の範囲】
【請求項１】
屋根直下に、屋根を支持するための妻壁が設けられ、この妻壁の表面に、妻壁を覆うためのサイディング材が取り付けられており、
前記サイディング材は、前記妻壁の端部側を覆う端部用サイディング材と、前記妻壁の中央側を覆う中央部用サイディング材とを備え、
これらサイディング材は、前記妻壁の底辺の両角部に設けられ、前記端部用サイディング材の先端部に係合しつつ、この端部用サイディング材を上方から押さえ込むとともに、下方から支承する第１取付金具と、
前記妻壁の傾斜に沿って設けられ、隣り合う左右のサイディング材にそれぞれ係合しつつ、これらサイディング材を上方から押さえ込む第２取付金具と、
前記妻壁の底辺に沿って設けられ、隣り合う左右のサイディング材にそれぞれ係合しつつ、これらサイディング材を下方から支承する第３取付金具とによって、それぞれ前記妻壁の表面に取り付けられていることを特徴とするサイディング材の取付構造。
【請求項２】
請求項１に記載のサイディング材の取付構造において、
前記第１取付金具は、前記妻壁の表面に取り付けられる金具本体と、
この金具本体の一方の側縁部に設けられ、前記端部用サイディング材の先端部に設けられた被係合部に係合する係合部と、
前記金具本体の表面および他方の側縁部に設けられ、前記端部用サイディング材を妻壁の表面から離間させて支持する支持脚と、
前記金具本体の上縁部に設けられ、前記端部用サイディング材の上端面に当接して、端部用サイディング材を上方から押さえ込む押込部と、
前記金具本体の下縁部に設けられ、前記端部用サイディング材の下端面に当接して、端部用サイディング材の重量を支承する支承部とを備えていることを特徴とするサイディング材の取付構造。
【請求項３】
請求項１または２に記載のサイディング材の取付構造において、
前記第２取付金具は、前記妻壁の表面に取り付けられる金具本体と、
この金具本体の一方の側縁部に設けられ、左右のサイディング材の各縁部に設けられた被係合部にそれぞれ係合する係合部と、
前記金具本体の表面および他方の側縁部に設けられ、前記左右のサイディング材を妻壁の表面から離間させて支持する支持脚と、
前記金具本体の上縁部に設けられ、前記左右のサイディング材の上端面に当接して、これらサイディング材を上方から押さえ込む押込部とを備えていることを特徴とするサイディング材の取付構造。
【請求項４】
請求項２または３に記載のサイディング材の取付構造において、
前記第１取付金具の金具本体および前記第２取付金具の金具本体には、これら第１および第２取付金具を、前記屋根を構成する垂木部材の側面に固定するための垂木固定部が設けられていることを特徴とするサイディング材の取付構造。
【請求項５】
請求項２または３に記載のサイディング材の取付構造において、
前記第１取付金具の金具本体および前記第２取付金具の金具本体には、これら第１および第２取付金具を、前記妻壁を構成する妻壁パネルの上端面に固定するためのパネル固定部が設けられていることを特徴とするサイディング材の取付構造。
【請求項６】
請求項１〜５のいずれか一項に記載のサイディング材の取付構造において、
前記第３取付金具は、前記妻壁の表面に取り付けられる金具本体と、
この金具本体の表面に設けられ、左右のサイディング材の各縁部に設けられた被係合部にそれぞれ係合する係合部と、
前記金具本体の上下縁部に設けられ、前記左右のサイディング材を妻壁の表面から離間させて支持する上側支持脚および下側支持脚とを備えており、
前記下側支持脚には、この下側支持脚の突端から下方に向かって延出する延出部と、この延出部の下端から外方に突出し、前記左右のサイディング材の下端面に当接して、これらサイディング材の重量を支承する支承部とが設けられていることを特徴とするサイディング材の取付構造。
【発明の詳細な説明】
【技術分野】
【０００１】
本発明は、屋根直下に設けられた妻壁の表面にサイディング材を取り付けるサイディング材の取付構造に関する。
【背景技術】
【０００２】
住宅等の建物の構築についてはその工業化が進み、例えば壁や床、屋根といった構成要素を予め工場にてパネル化しておき、施工現場でこれらのパネルを組み立てることにより、建物を構築するといったパネル工法が一部に採用されている。
このようなパネル工法の一例として、予め外装材等を妻壁パネルに取り付けて傾斜屋根の下方に建て込むような技術が知られている（例えば、特許文献１参照）。
【０００３】
このように妻壁パネルの表面に外装材を取り付ける際は、従来、釘打ちによる取付固定が多くなされていたが、外装材の表面に露出する釘頭の補修や、釘打ちによって破損した外装材の修復・交換に係る作業手間を解消したいという要望があったため、近年では、釘を極力使用しないで済むような取付金具の開発が進められている（例えば、特許文献２参照）。
【特許文献１】特開２０００−０６４４６０号公報
【特許文献２】特開２０００−３５６０２４号公報
【発明の開示】
【発明が解決しようとする課題】
【０００４】
ところが、例えば切妻屋根の妻壁の場合、正面視三角形状に形成されているため、妻壁の底辺の両端部には角部が形成される。このような両角部は鋭角になっており、この妻壁の両端部に使用される外装材の先端部も同様に鋭角であるため、特許文献２のような取付金具による取付固定は困難であった。
そのため、妻壁の両端部に使用される外装材の取付固定は、従来どおり釘打ちで行わなければならず、外装材表面に露出する釘頭の補修作業や、釘打ちによって破損した外装材の修復・交換作業に手間がかかるという問題があった。
【０００５】
また、妻壁の中央側に設けられるサイディング材は、取付金具による取付固定ができるものの、上縁が妻壁の形状に合わせて傾斜した状態となっているため、その一方の側縁と他方の側縁との長さが異なり、長さの長い方の側縁には、長さの短い方の側縁よりも多く取付金具が取り付けられることになる。
そのため、外装材の取り付け作業中、長さの長い方の側縁からの力が大きくかかって外装材自体が斜めに傾き、外装材の位置ずれが生じてしまう場合がある。このように位置ずれが生じると、隣り合う外装材（以下、サイディング材）間の目地幅にばらつきが生じてしまい、妻壁全体の外観性が低下してしまうという問題があった。
【０００６】
本発明の課題は、サイディング材の取付固定に係る手間を軽減して施工性の向上を図ることができるとともに、サイディング材の位置ずれを防いで妻壁全体の外観性の向上を図ることが可能なサイディング材の取付構造を提供することを目的とする。
【課題を解決するための手段】
【０００７】
請求項１に記載の発明は、例えば図１〜図５に示すように、屋根１直下に、屋根１を支持するための妻壁２（２Ａ）が設けられ、この妻壁２（２Ａ）の表面に、妻壁２（２Ａ）を覆うためのサイディング材３（３Ａ）が取り付けられており、
前記サイディング材３（３Ａ）は、前記妻壁２（２Ａ）の端部側を覆う端部用サイディング材３ａ（３Ａａ）と、前記妻壁２（２Ａ）の中央側を覆う中央部用サイディング材３ｂ（３Ａｂ）とを備え、
これらサイディング材３ａ，３ｂ（３Ａａ，３Ａｂ）は、前記妻壁２（２Ａ）の底辺の両角部に設けられ、前記端部用サイディング材３ａ（３Ａａ）の先端部３０に係合しつつ、この端部用サイディング材３ａ（３Ａａ）を上方から押さえ込むとともに、下方から支承する第１取付金具４（４Ａ）と、
前記妻壁２（２Ａ）の傾斜に沿って設けられ、隣り合う左右のサイディング材３ａ，３ｂ（３Ａａ，３Ａｂ）にそれぞれ係合しつつ、これらサイディング材３ａ，３ｂ（３Ａａ，３Ａｂ）を上方から押さえ込む第２取付金具５（５Ａ）と、
前記妻壁２（２Ａ）の底辺に沿って設けられ、隣り合う左右のサイディング材３ａ，３ｂ（３Ａａ，３Ａｂ）にそれぞれ係合しつつ、これらサイディング材３ａ，３ｂ（３Ａａ，３Ａｂ）を下方から支承する第３取付金具６（６Ａ）とによって、それぞれ前記妻壁２（２Ａ）の表面に取り付けられていることを特徴とする。
【０００８】
請求項１に記載の発明によれば、前記第１取付金具４（４Ａ）が前記端部用サイディング材３ａ（３Ａａ）の先端部３０に係合するので、この第１取付金具４（４Ａ）を前記妻壁２（２Ａ）の底辺の両角部に設けることによって、前記端部用サイディング材３ａ（３Ａａ）の先端部３０を、妻壁２（２Ａ）に、釘打ちなしで確実に取付固定することができる。
また、前記第２取付金具５（５Ａ）および第３取付金具６（６Ａ）が、隣り合う左右のサイディング材３ａ，３ｂ（３Ａａ，３Ａｂ）にそれぞれ係合するので、これら第２取付金具５（５Ａ）および第３取付金具６（６Ａ）を妻壁２（２Ａ）表面の所定位置に設けることによって、前記端部用サイディング材３ａ（３Ａａ）と中央部用サイディング材３ｂ（３Ａｂ）、および、中央部用サイディング材３ｂ，３ｂ（３Ａｂ，３Ａｂ）どうしを並設して妻壁２（２Ａ）に設けることができ、各サイディング材３ａ，３ｂ（３Ａａ，３Ａｂ）の取付固定を釘打ちなしで確実に行うことができる。
これによって、従来とは異なり、サイディング材３（３Ａ）表面に露出する釘頭の補修作業や、釘打ちによって破損したサイディング材３（３Ａ）の修復・交換作業等、サイディング材３（３Ａ）の取付固定に係る作業手間を軽減することができるので、施工性の向上を図ることが可能となる。
【０００９】
そして、前記第１取付金具４（４Ａ）によって、前記端部用サイディング材３ａ（３Ａａ）の先端部３０の上方および下方への位置ずれを防ぐことができ、前記第２取付金具５（５Ａ）によって、隣り合う左右のサイディング材３ａ，３ｂ（３Ａａ，３Ａｂ）の上方への位置ずれを防ぐことができ、さらに、前記第３取付金具６（６Ａ）によって、隣り合うサイディング材３ａ，３ｂ（３Ａａ，３Ａｂ）の下方への位置ずれを防ぐことができるので、各サイディング材３ａ，３ｂ（３Ａａ，３Ａｂ）の上下方向への位置ずれを確実に防ぐことができる。
これによって、従来とは異なり、隣り合うサイディング材３ａ，３ｂ（３Ａａ，３Ａｂ）間の目地幅にばらつきが生じることを確実に防ぐことができるので、妻壁２（２Ａ）全体の外観性の向上を図ることが可能となる。
【００１０】
請求項２に記載の発明は、例えば図２および図５に示すように、請求項１に記載のサイディング材３（３Ａ）の取付構造において、
前記第１取付金具４（４Ａ）は、前記妻壁２（２Ａ）の表面に取り付けられる金具本体４０Ａと、
この金具本体４０Ａの一方の側縁部に設けられ、前記端部用サイディング材３ａ（３Ａａ）の先端部３０に設けられた被係合部３０ａに係合する係合部４１と、
前記金具本体４０Ａの表面および他方の側縁部に設けられ、前記端部用サイディング材３ａ（３Ａａ）を妻壁２（２Ａ）の表面から離間させて支持する支持脚４２（４２ａ，４２ｂ）と、
前記金具本体４０Ａの上縁部に設けられ、前記端部用サイディング材３ａ（３Ａａ）の上端面に当接して、端部用サイディング材３ａ（３Ａａ）を上方から押さえ込む押込部４３（４３Ａ）と、
前記金具本体４０Ａの下縁部に設けられ、前記端部用サイディング材３ａ（３Ａａ）の下端面に当接して、端部用サイディング材３ａ（３Ａａ）の重量を支承する支承部４４とを備えていることを特徴とする。
【００１１】
請求項２に記載の発明によれば、前記第１取付金具４（４Ａ）は、前記端部用サイディング材３ａ（３Ａａ）の先端部３０に設けられた被係合部３０ａに係合する係合部４１を備えているので、前記端部用サイディング材３ａ（３Ａａ）の先端部３０を妻壁２（２Ａ）に、釘打ちなしで、より確実に取付固定することができる。
しかも、前記端部用サイディング材３ａ（３Ａａ）の先端部３０を、前記支持脚４２（４２ａ，４２ｂ）によって妻壁２（２Ａ）の表面から離間させて支持し、前記押込部４３（４３Ａ）によって上方から押さえ込み、前記支承部４４によって重量を支承するので、前記端部用サイディング材３ａ（３Ａａ）の側方および前後、上下方向への位置ずれをより確実に防ぐことができる。
【００１２】
さらに、前記係合部４１に端部用サイディング材３ａ（３Ａａ）の被係合部３０ａを係合させるとともに、前記支持脚４２（４２ａ，４２ｂ）、押込部４３（４３Ａ）および支承部４４に当接させるだけで、前記端部用サイディング材３ａ（３Ａａ）の先端部３０を妻壁２（２Ａ）の両角部の位置に取り付けることができるので、端部用サイディング材３ａ（３Ａａ）の先端部３０の取り付けに際して位置決めを容易に、かつ正確に行うことができる。
【００１３】
また、前記支持脚４２（４２ａ，４２ｂ）によって、前記端部用サイディング材３ａ（３Ａａ）を妻壁２（２Ａ）の表面から離間させて支持することができるので、前記サイディング材３と妻壁２（２Ａ）との間に隙間を形成することができ、この隙間を水・通気経路として確保することができる。しかも、このように前記支持脚４２（４２ａ，４２ｂ）によって前記端部用サイディング材３ａ（３Ａａ）を支持することができるので、端部用サイディング材３ａ（３Ａａ）を安定して設けることができる。
【００１４】
請求項３に記載の発明は、例えば図２および図５に示すように、請求項１または２に記載のサイディング材３（３Ａ）の取付構造において、
前記第２取付金具５（５Ａ）は、前記妻壁２（２Ａ）の表面に取り付けられる金具本体５０（５０Ａ）と、
この金具本体５０（５０Ａ）の一方の側縁部に設けられ、左右のサイディング材３ａ，３ｂ（３Ａａ，３Ａｂ）の各縁部に設けられた被係合部３０ｂ，３３ａ，３４ａにそれぞれ係合する係合部５１と、
前記金具本体５０（５０Ａ）の表面および他方の側縁部に設けられ、前記左右のサイディング材３ａ，３ｂ（３Ａａ，３Ａｂ）を妻壁２（２Ａ）の表面から離間させて支持する支持脚５２（５２ａ，５２ｂ）と、
前記金具本体５０（５０Ａ）の上縁部に設けられ、前記左右のサイディング材３ａ，３ｂ（３Ａａ，３Ａｂ）の上端面に当接して、これらサイディング材３ａ，３ｂ（３Ａａ，３Ａｂ）を上方から押さえ込む押込部５３（５３Ａ）とを備えていることを特徴とする。
【００１５】
請求項３に記載の発明によれば、前記第２取付金具５（５Ａ）は、左右のサイディング材３ａ，３ｂ（３Ａａ，３Ａｂ）の各縁部に設けられた被係合部３０ｂ，３３ａ，３４ａにそれぞれ係合する係合部５１を備えているので、左右のサイディング材３ａ，３ｂ（３Ａａ，３Ａｂ）を並設して妻壁２（２Ａ）に設けることができ、各サイディング材３ａ，３ｂ（３Ａａ，３Ａｂ）の取付固定を釘打ちなしで、より確実に行うことができる。
しかも、前記左右のサイディング材３ａ，３ｂ（３Ａａ，３Ａｂ）を、前記支持脚５２（５２ａ，５２ｂ）によって妻壁２（２Ａ）の表面から離間させて支持するとともに、前記押込部５３（５３Ａ）によって上方から押え込むので、前記左右のサイディング材３ａ，３ｂ（３Ａａ，３Ａｂ）の左右および前後、上方向への位置ずれをより確実に防ぐことができる。
【００１６】
さらに、前記係合部５１に左右のサイディング材３ａ，３ｂ（３Ａａ，３Ａｂ）の被係合部３０ｂ，３３ａ，３４ａを係合させるとともに、前記支持脚５２（５２ａ，５２ｂ）および押込部５３（５３Ａ）に当接させるだけで、前記左右のサイディング材３ａ，３ｂ（３Ａａ，３Ａｂ）の上端面を妻壁２（２Ａ）の傾斜に沿って取り付けることができるので、左右のサイディング材３ａ，３ｂ（３Ａａ，３Ａｂ）の取り付けに際して位置決めを容易に、かつ正確に行うことができる。
【００１７】
また、前記支持脚５２（５２ａ，５２ｂ）によって、前記左右のサイディング材３ａ，３ｂ（３Ａａ，３Ａｂ）を妻壁２（２Ａ）の表面から離間させて支持することができるので、前記サイディング材３（３Ａ）と妻壁２（２Ａ）との間に隙間を形成することができ、この隙間を水・通気経路として確保することができる。しかも、このように前記支持脚５２（５２ａ，５２ｂ）によって前記左右のサイディング材３ａ，３ｂ（３Ａａ，３Ａｂ）を支持することができるので、左右のサイディング材３ａ，３ｂ（３Ａａ，３Ａｂ）を安定して設けることができる。
【００１８】
請求項４に記載の発明は、例えば図１〜図３に示すように、請求項２または３に記載のサイディング材３（３Ａ）の取付構造において、
前記第１取付金具４の金具本体４０Ａおよび前記第２取付金具５の金具本体５０には、これら第１および第２取付金具４，５を、前記屋根１を構成する垂木部材１ａの側面に固定するための垂木固定部４５，５５が設けられていることを特徴とする。
【００１９】
請求項４に記載の発明によれば、前記第１取付金具４の金具本体４０Ａおよび前記第２取付金具５の金具本体５０には、これら第１および第２取付金具４，５を、前記屋根１を構成する垂木部材１ａの側面に固定するための垂木固定部４５，５５が設けられているので、現場で、前記各金具本体４０，５０を妻壁２の表面に固定するとともに、垂木固定部４５，５５を垂木部材１ａの側面に固定することで、前記第１取付金具４および第２取付金具５を妻壁２に強固に取り付けることができる。
【００２０】
請求項５に記載の発明は、例えば図４および図５に示すように、請求項２または３に記載のサイディング材３（３Ａ）の取付構造において、
前記第１取付金具４Ａの金具本体４０Ａおよび前記第２取付金具５Ａの金具本体５０Ａには、これら第１および第２取付金具４Ａ，５Ａを、前記妻壁２Ａを構成する妻壁パネル２Ａの上端面に固定するためのパネル固定部４５Ａ，５５Ａが設けられていることを特徴とする。
【００２１】
請求項５に記載の発明によれば、前記第１取付金具４Ａの金具本体４０Ａおよび前記第２取付金具５Ａの金具本体５０Ａには、これら第１および第２取付金具４Ａ，５Ａを、前記妻壁２Ａを構成する妻壁パネル２Ａの上端面に固定するためのパネル固定部４５Ａ，５５Ａが設けられていることから、例えば、予めパネル固定部４５Ａ，５５Ａを前記妻壁パネル２Ａの上端面に固定しておくことによって、第１および第２取付金具４，５を前記妻壁パネル２Ａに取り付けておくことができるので、予めサイディング材３Ａが取り付けられた状態の妻壁パネル２Ａを構成することができる。
そして、このような予めサイディング材３Ａが取り付けられた状態の妻壁パネル２Ａを現場へ搬送することによって、現場での施工効率を格段に向上させることができる。
【００２２】
請求項６に記載の発明は、例えば図２および図５に示すように、請求項１〜５のいずれか一項に記載のサイディング材３（３Ａ）の取付構造において、
前記第３取付金具６（６Ａ）は、前記妻壁２（２Ａ）の表面に取り付けられる金具本体６０と、
この金具本体６０の表面に設けられ、左右のサイディング材３ａ，３ｂ（３Ａａ，３Ａｂ）の各縁部に設けられた被係合部３０ｂ，３３ａ，３４ａにそれぞれ係合する係合部６１と、
前記金具本体６０の上下縁部に設けられ、前記左右のサイディング材３ａ，３ｂ（３Ａａ，３Ａｂ）を妻壁２（２Ａ）の表面から離間させて支持する上側支持脚６２および下側支持脚６３とを備えており、
前記下側支持脚６３には、この下側支持脚６３の突端から下方に向かって延出する延出部６４と、この延出部６４の下端から外方に突出し、前記左右のサイディング材３ａ，３ｂ（３Ａａ，３Ａｂ）の下端面に当接して、これらサイディング材３ａ，３ｂ（３Ａａ，３Ａｂ）の重量を支承する支承部６５とが設けられていることを特徴とする。
【００２３】
請求項６に記載の発明によれば、前記第３取付金具６（６Ａ）は、左右のサイディング材３ａ，３ｂ（３Ａａ，３Ａｂ）の各縁部に設けられた被係合部３０ｂ，３３ａ，３４ａにそれぞれ係合する係合部６１を備えているので、左右のサイディング材３ａ，３ｂ（３Ａａ，３Ａｂ）を並設して妻壁２（２Ａ）に設けることができ、各サイディング材３ａ，３ｂ（３Ａａ，３Ａｂ）の取付固定を釘打ちなしで、さらに確実に行うことができる。
しかも、前記左右のサイディング材３ａ，３ｂ（３Ａａ，３Ａｂ）を、前記上側および下側支持脚６２，６３によって妻壁２（２Ａ）の表面から離間させて支持するとともに、前記支承部６５によってサイディング材３（３Ａ）の重量を支承するので、前記左右のサイディング材３ａ，３ｂ（３Ａａ，３Ａｂ）の左右および前後、下方向への位置ずれをより確実に防ぐことができる。
【００２４】
さらに、前記係合部６１に左右のサイディング材３ａ，３ｂ（３Ａａ，３Ａｂ）の被係合部３０ｂ，３３ａ，３４ａを係合させるとともに、前記上側および下側支持脚６２，６３および支承部６５に当接させるだけで、前記左右のサイディング材３ａ，３ｂ（３Ａａ，３Ａｂ）の下端面を妻壁２（２Ａ）の底辺に沿って取り付けることができるので、左右のサイディング材３ａ，３ｂ（３Ａａ，３Ａｂ）の取り付けに際して位置決めをより容易に、かつ正確に行うことができる。
【００２５】
また、前記上側支持脚６２および下側支持脚６３によって、前記左右のサイディング材３ａ，３ｂ（３Ａａ，３Ａｂ）を妻壁２（２Ａ）の表面から離間させて支持することができるので、前記サイディング材３（３Ａ）と妻壁２（２Ａ）との間に隙間を形成することができ、この隙間を水・通気経路として確保することができる。しかも、このように前記上側支持脚６２および下側支持脚６３によって前記左右のサイディング材３ａ，３ｂ（３Ａａ，３Ａｂ）を支持することができるので、左右のサイディング材３ａ，３ｂ（３Ａａ，３Ａｂ）を安定して設けることができる。
【発明の効果】
【００２６】
本発明によれば、第１取付金具が端部用サイディング材の先端部に係合するので、この第１取付金具を妻壁の底辺の両角部に設けることによって、前記端部用サイディング材の先端部を、妻壁に、釘打ちなしで確実に取付固定することができる。
また、第２取付金具および第３取付金具が、隣り合う左右のサイディング材にそれぞれ係合するので、これら第２取付金具および第３取付金具を妻壁表面の所定位置に設けることによって、前記端部用サイディング材と中央部用サイディング材、および、中央部用サイディング材どうしを並設して妻壁に設けることができ、各サイディング材の取付固定を釘打ちなしで確実に行うことができる。
これによって、従来とは異なり、サイディング材表面に露出する釘頭の補修作業や、釘打ちによって破損したサイディング材の修復・交換作業等、サイディング材の取付固定に係る作業手間を軽減することができるので、施工性を向上を図ることが可能となる。
【００２７】
そして、前記第１取付金具によって、前記端部用サイディング材の先端部の上方および下方への位置ずれを防ぐことができ、前記第２取付金具によって、隣り合う左右のサイディング材の上方への位置ずれを防ぐことができ、さらに、前記第３取付金具によって、隣り合うサイディング材の下方への位置ずれを防ぐことができるので、各サイディング材の上下方向への位置ずれを確実に防ぐことができる。
これによって、従来とは異なり、隣り合うサイディング材間の目地幅にばらつきが生じることを確実に防ぐことができるので、妻壁全体の外観性の向上を図ることができる。
【発明を実施するための最良の形態】
【００２８】
以下、図面を参照して本発明の実施の形態について説明する。
【００２９】
（第１の実施の形態）
本実施の形態のサイディング材３の取付構造は、図１〜図３に示すように、屋根１直下に、屋根１を支持するための妻壁２が設けられ、この妻壁２の表面に、妻壁２を覆うためのサイディング材３が取り付けられたものであり、
前記サイディング材３は、前記妻壁２の端部側を覆う端部用サイディング材３ａと、前記妻壁２の中央側を覆う中央部用サイディング材３ｂとを備え、
これらサイディング材３ａ，３ｂは、前記妻壁２の底辺の両角部に設けられ、前記端部用サイディング材３ａの先端部３０に係合しつつ、この端部用サイディング材３ａを上方から押さえ込むとともに、下方から支承する第１取付金具４と、
前記妻壁２の傾斜に沿って設けられ、隣り合う左右のサイディング材３ａ，３ｂにそれぞれ係合しつつ、これらサイディング材３ａ，３ｂを上方から押さえ込む第２取付金具５と、
前記妻壁２の底辺に沿って設けられ、隣り合う左右のサイディング材３ａ，３ｂにそれぞれ係合しつつ、これらサイディング材３ａ，３ｂを下方から支承する第３取付金具６とによって、それぞれ前記妻壁２の表面に取り付けられている。
なお、前記隣り合う左右のサイディング材３ａ，３ｂとは、前記端部用サイディング材３ａと中央部用サイディング材３ｂとの組み合わせ、および、中央部用サイディング材３ｂ，３ｂどうしの組み合わせを含む。
【００３０】
ここで、前記屋根１は、図示はしないが、棟を頂点として二つの傾斜面が山形に合わさった形状の切妻屋根で構成されている。
本実施の形態において前記屋根１は、図１に示すように、屋根パネル１によって構成されており、この屋根パネル１は、屋根面を構成する屋根面材１ｂの裏面側周縁に四角枠状のフレーム１ｃを備え、このフレーム１ｃの内部に更に補強棧材１ａ等を縦横に取り付けて剛性を確保したものである。また、これら四角枠状のフレーム１ｃや補強棧材１ａ等は、屋根１の母屋や垂木部材１ａとして利用することができるので、屋根１本体と屋根材の施工を一度に行うことができ、現場における省力化を図ることができる。
【００３１】
また、前記妻壁２は、上述したように屋根１を下方から支持するものであり、本実施の形態においては、図４に示すように、切妻屋根の形状に合わせて略三角形状に形成された妻壁パネルが用いられている。また、この妻壁パネルは、図示はしないが、輸送を円滑に進めるため複数に分割されて形成される。
【００３２】
前記サイディング材３は、本実施の形態においては縦貼り用のサイディング材３が採用されている。そして、このサイディング材３は、直角三角形状に形成され、前記妻壁２の端部側を覆う端部用サイディング材３ａと、五角形状に形成され、前記妻壁２の中央側を覆う中央部用サイディング材３ｂとを備えており、この中央部用サイディング材３ｂはさらに複数分割される。
また、複数分割された中央部用サイディング材３ｂは、上縁が妻壁２の頂点に合わせて山形に形成されたもの（図示せず）と、上縁が妻壁２の傾斜に沿い、かつ長さの長い一方の側縁部３４および長さの短い他方の側縁部３３を有するように形成されたもの、とを備えている。
そして、これら複数分割された中央部用サイディング材３ｂと、前記端部用サイディング材３ａとを合わせると、前記妻壁２の表面形状に重なり合う三角形状のサイディング材３が形成されるようになっている。
【００３３】
なお、前記サイディング材３の各縁部に設けられた被係合部３０ａ，３０ｂ，３３ａ，３４ａは、図３に示すように、前記各取付金具４，５，６に確実に係合でき、さらに、隣り合うサイディング材３ａ，３ｂ（３ｂ，３ｂ）どうしを確実に係合できるように、幅方向一端に上サネを、他端に下サネを備えている。
【００３４】
一方、前記第１取付金具４は、図１〜図３に示すように、前記妻壁２の底辺の角部に設けられ、前記端部用サイディング材３ａの先端部３０に係合しつつ、この端部用サイディング材３ａを上方から押さえ込むとともに、下方から支承するものである。
【００３５】
さらに詳細には、図２（ａ）に示すように、前記妻壁２の表面に取り付けられる金具本体４０と、この金具本体４０の一方の側縁部に設けられ、前記端部用サイディング材３ａの先端部３０に設けられた被係合部３０ａに係合する係合部４１と、前記金具本体４０の表面および他方の側縁部に設けられ、前記端部用サイディング材３ａを妻壁２の表面から離間させて支持する支持脚４２（４２ａ，４２ｂ）と、前記金具本体４０の上縁部に設けられ、前記端部用サイディング材３ａの上端面に当接して、端部用サイディング材３ａを上方から押さえ込む押込部４３と、前記金具本体４０の下縁部に設けられ、前記端部用サイディング材３ａの下端面に当接して、端部用サイディング材３ａの重量を支承する支承部４４とを備えている。
【００３６】
前記金具本体４０は、前記妻壁２の底辺の角部の形状に合わせて、先端に向けて細くなるように形成されており、その表面に、この金具本体４０を前記妻壁２の表面にネジ止めして固定するためのネジ孔４０ａが形成されている。
【００３７】
また、この金具本体４０には、第１取付金具４を、前記屋根１を構成する垂木部材１ａの側面に固定するための垂木固定部４５が設けられており、例えば現場で、前記金具本体４０を妻壁２の表面に固定するとともに、垂木固定部４５を垂木部材１ａの側面に固定することによって、第１取付金具４を妻壁２に強固に取り付けることができるようになっている。
なお、前記垂木固定部４５の表面にも、この垂木固定部４５を前記垂木部材１ａの側面にネジ止めして固定するためのネジ孔４５ａが形成されている。
【００３８】
前記係合部４１は、前記金具本体４０の一方の側縁部に、前記金具本体４０に対して直交する方向、すなわち外方に向かって突出するようにして設けられており、その先端に、前記端部用サイディング材３ａの先端部３０に設けられた被係合部３０ａに係合するために、内側に向けて折曲加工された係合片４１ａを備えている。
【００３９】
前記支持脚４２（４２ａ，４２ｂ）は、前記金具本体４０の表面および他方の側縁部に設けられ、前記端部用サイディング材３ａを前記妻壁２の表面から離間させて支持するものであり、前記金具本体４０に対して直交する方向、つまり外方に向かって突出して設けられている。
【００４０】
前記押込部４３は、前記金具本体４０の上縁部に設けられ、前記端部用サイディング材３ａの傾斜に沿うようにして、前記端部用サイディング材３ａの上端面に当接するものであり、前記金具本体４０に対して直交する方向、つまり外方に向かって突出している。
【００４１】
前記支承部４４は、前記金具本体４０の下縁部に設けられ、前記端部用サイディング材３ａの底辺に沿うようにして、前記端部用サイディング材３ａの下端面に当接するものであり、前記金具本体４０に対して直交する方向、つまり外方に向かって突出している。
【００４２】
以上のような第１取付金具４によれば、この第１取付金具４は、前記端部用サイディング材３ａの先端部３０に設けられた被係合部３０ａに係合する係合部４１を備えているので、前記端部用サイディング材３ａの先端部３０を、妻壁２に釘打ちなしで、より確実に取付固定することができる。
しかも、前記端部用サイディング材３ａの先端部３０を、前記支持脚４２（４２ａ，４２ｂ）によって妻壁２の表面から離間させて支持し、前記押込部４３によって上方から押さえ込み、前記支承部４４によって重量を支承するので、前記端部用サイディング材３ａの側方および前後、上下方向への位置ずれをより確実に防ぐことができる。
【００４３】
さらに、前記係合部４１に端部用サイディング材３ａの被係合部３０ａを係合させるとともに、前記支持脚４２（４２ａ，４２ｂ）、押込部４３および支承部４４に当接させるだけで、前記端部用サイディング材３ａの先端部３０を妻壁２の両角部の位置に取り付けることができるので、端部用サイディング材３ａの先端部３０の取り付けに際して位置決めを容易に、かつ正確に行うことができる。
【００４４】
また、前記支持脚４２（４２ａ，４２ｂ）によって、前記端部用サイディング材３ａを妻壁２の表面から離間させて支持することができるので、前記サイディング材３と妻壁２との間に隙間を形成することができ、この隙間を水・通気経路として確保することができる。しかも、このように前記支持脚４２（４２ａ，４２ｂ）によって前記端部用サイディング材３ａを支持することができるので、端部用サイディング材３ａを安定して設けることができる。
【００４５】
なお、本実施の形態の第１取付金具４は鋼製であり、前記金具本体４０を中心に、係合部４１、支持脚４２（４２ａ，４２ｂ）、押込部４３および支承部４４等、全て一体形成されている。
【００４６】
続いて、前記第２取付金具５は、図１〜図３に示すように、前記妻壁２の傾斜に沿って設けられ、隣り合う左右のサイディング材３ａ，３ｂにそれぞれ係合しつつ、これらサイディング材３ａ，３ｂを上方から押さえ込むものである。
【００４７】
さらに詳細には、図２（ｂ）に示すように、前記妻壁２の表面に取り付けられる金具本体５０と、この金具本体５０の一方の側縁部に設けられ、左右のサイディング材３ａ，３ｂの各縁部に設けられた被係合部３０ｂ，３３ａ，３４ａにそれぞれ係合する係合部５１と、前記金具本体５０の表面および他方の側縁部に設けられ、前記左右のサイディング材３ａ，３ｂを妻壁２の表面から離間させて支持する支持脚５２（５２ａ，５２ｂ）と、前記金具本体５０の上縁部に設けられ、前記左右のサイディング材３ａ，３ｂの上端面に当接して、これらサイディング材３ａ，３ｂを上方から押さえ込む押込部５３とを備えている。
【００４８】
前記金具本体５０は、先端に向けて細くなるように形成されており、その表面に、この金具本体５０を前記妻壁２の表面にネジ止めして固定するためのネジ孔５０ａが形成されている。
【００４９】
また、この金具本体５０にも、前記第１取付金具４の金具本体４０と同様に垂木固定部５５が設けられており、金具本体５０を妻壁２の表面に固定するとともに、垂木固定部５５を垂木部材１ａの側面に固定することによって、第２取付金具５を妻壁２に強固に取り付けることができるようになっている。なお、この垂木固定部５５の表面にもネジ孔５５ａが形成されている。
【００５０】
前記係合部５１は、前記金具本体５０の一方の側縁部に、前記金具本体５０に対して直交する方向、すなわち外方に向かって突出するようにして設けられており、その先端に、前記隣り合う左右のサイディング材３ａ，３ｂの各縁部に設けられた被係合部３０ｂ，３３ａ，３４ａにそれぞれ係合するために、所定の角度で左右交互に折曲加工された係合片５１ａを備えている。
【００５１】
前記支持脚５２（５２ａ，５２ｂ）は、前記金具本体５０の表面および他方の側縁部に設けられ、前記隣り合う左右のサイディング材３ａ，３ｂを前記妻壁２の表面から離間させて支持するものであり、前記金具本体５０に対して直交する方向、つまり外方に向かって突出している。
【００５２】
前記押込部５３は、前記金具本体５０の上縁部に設けられ、前記隣り合う左右のサイディング材３ａ，３ｂの傾斜に沿うようにして、左右のサイディング材３ａ，３ｂの上端面に当接するものであり、前記金具本体５０に対して直交する方向、つまり外方に向かって突出している。
【００５３】
以上のような第２取付金具５によれば、この第２取付金具５は、左右のサイディング材３ａ，３ｂの各縁部に設けられた被係合部３０ｂ，３３ａ，３４ａにそれぞれ係合する係合部５１を備えているので、左右のサイディング材３ａ，３ｂを並設して妻壁２に設けることができ、各サイディング材３ａ，３ｂの取付固定を釘打ちなしで、より確実に行うことができる。
しかも、前記左右のサイディング材３ａ，３ｂを、前記支持脚５２（５２ａ，５２ｂ）によって妻壁２の表面から離間させて支持するとともに、前記押込部５３によって上方から押え込むので、前記左右のサイディング材３ａ，３ｂの左右および前後、上方向への位置ずれをより確実に防ぐことができる。
【００５４】
さらに、前記係合部５１に左右のサイディング材３ａ，３ｂの被係合部３０ｂ，３３ａ，３４ａを係合させるとともに、前記支持脚５２（５２ａ，５２ｂ）および押込部５３に当接させるだけで、前記左右のサイディング材３ａ，３ｂの上端面を妻壁２の傾斜に沿って取り付けることができるので、左右のサイディング材３ａ，３ｂの取り付けに際して位置決めを容易に、かつ正確に行うことができる。
【００５５】
また、前記支持脚５２（５２ａ，５２ｂ）によって、前記左右のサイディング材３ａ，３ｂを妻壁２の表面から離間させて支持することができるので、前記サイディング材３と妻壁２との間に隙間を形成することができ、この隙間を水・通気経路として確保することができる。しかも、このように前記支持脚５２（５２ａ，５２ｂ）によって前記左右のサイディング材３ａ，３ｂを支持することができるので、左右のサイディング材３ａ，３ｂを安定して設けることができる。
【００５６】
なお、本実施の形態の第２取付金具５は鋼製であり、前記金具本体５０を中心に、係合部５１、支持脚５２（５２ａ，５２ｂ）および押込部５３等、全て一体形成されている。
【００５７】
次いで、前記第３取付金具６は、図１〜図３に示すように、前記妻壁２の底辺に沿って設けられ、隣り合う左右のサイディング材３ａ，３ｂにそれぞれ係合しつつ、これらサイディング材３ａ，３ｂを下方から支承するものである。
【００５８】
さらに詳細には、図２（ｃ）に示すように、前記妻壁２の表面に取り付けられる金具本体６０と、この金具本体６０の表面に設けられ、左右のサイディング材３ａ，３ｂの各縁部に設けられた被係合部３０ｂ，３３ａ，３４ａにそれぞれ係合する係合部６１と、前記金具本体６０の上下縁部に設けられ、前記左右のサイディング材３ａ，３ｂを妻壁２の表面から離間させて支持する上側支持脚６２および下側支持脚６３とを備えており、前記下側支持脚６３には、この下側支持脚６３の突端から下方に向かって延出する延出部６４と、この延出部６４の下端から外方に突出し、前記左右のサイディング材３ａ，３ｂの下端面に当接して、これらサイディング材３ａ，３ｂの重量を支承する支承部６５とが設けられている。
【００５９】
前記金具本体６０は、前記妻壁２の表面に取り付けられるものであり、この金具本体６０の表面には、前記係合部６１が設けられているとともに、金具本体６０を前記妻壁２の表面にネジ止めして固定するためのネジ孔６０ａが形成されている。
【００６０】
前記係合部６１は、前記金具本体６０の表面に設けられており、その先端に、前記隣り合う左右のサイディング材３ａ，３ｂの各縁部に設けられた被係合部３０ｂ，３３ａ，３４ａにそれぞれ係合するために、所定の角度で左右交互に折曲加工された係合片６１ａを備えている。
【００６１】
前記上側支持脚６２および下側支持脚６３は、前記金具本体６０の上下縁部に設けられ、前記左右のサイディング材３ａ，３ｂを妻壁２の表面から離間させて支持するものであり、前記金具本体６０に対して直交する方向、つまり外方に向かって突出している。
【００６２】
また、前記下側支持脚６３には、上述したように、前記延出部６４および支承部６５が設けられており、前記延出部６４は、前記左右のサイディング材３ａ，３ｂの裏面に当接して、安定的にサイディング材３を支持することができるようになっており、前記支承部６５は、前記左右のサイディング材３ａ，３ｂの下端面に当接して、これらサイディング材３ａ，３ｂの重量を支承することができるようになっている。
【００６３】
以上のような第３取付金具６によれば、この第３取付金具６は、左右のサイディング材３ａ，３ｂの各縁部に設けられた被係合部３０ｂ，３３ａ，３４ａにそれぞれ係合する係合部６１を備えているので、左右のサイディング材３ａ，３ｂを並設して妻壁２に設けることができ、各サイディング材３ａ，３ｂの取付固定を、釘打ちなしで、さらに確実に行うことができる。
しかも、前記左右のサイディング材３ａ，３ｂを、前記上側および下側支持脚６２，６３によって妻壁２の表面から離間させて支持するとともに、前記支承部６５によってサイディング材３の重量を支承するので、前記左右のサイディング材３ａ，３ｂの左右および前後、下方向への位置ずれをより確実に防ぐことができる。
【００６４】
さらに、前記係合部６１に左右のサイディング材３ａ，３ｂの被係合部３０ｂ，３３ａ，３４ａを係合させるとともに、前記上側および下側支持脚６２，６３および支承部６５に当接させるだけで、前記左右のサイディング材３ａ，３ｂの下端面を妻壁２の底辺に沿って取り付けることができるので、左右のサイディング材３ａ，３ｂの取り付けに際して位置決めをより容易に、かつ正確に行うことができる。
【００６５】
また、前記上側支持脚６２および下側支持脚６３によって、前記左右のサイディング材３ａ，３ｂを妻壁２の表面から離間させて支持することができるので、前記サイディング材３と妻壁２との間に隙間を形成することができ、この隙間を水・通気経路として確保することができる。しかも、このように前記上側支持脚６２および下側支持脚６３によって前記左右のサイディング材３ａ，３ｂを支持することができるので、左右のサイディング材３ａ，３ｂを安定して設けることができる。
【００６６】
次に、以上のようなサイディング材３の取付構造を施工する際に、前記妻壁２の表面にサイディング材３を取り付ける方法について説明する。
【００６７】
すなわち、まず、妻壁２上に屋根パネル１を設けてから、前記第１および第２取付金具４，５の各金具本体４０，５０と、これら各金具本体４０，５０に設けられた前記垂木固定部４５，５５とを、前記妻壁２の表面と垂木部材１ａの側面とに固定するようにして、第１取付金具４および第２取付金具５を前記妻壁２の所定の位置に設ける。そして、第３取付金具６も妻壁２表面の所定位置に設けて、その後、各サイディング材３ａ，３ｂの取付作業を行っていくようにする。
【００６８】
ここで、前記端部用サイディング材３ａを前記妻壁２の表面に取り付ける際は、図１および図３に示すように、前記第１取付金具４によって端部用サイディング材３ａの先端部３０を、前記妻壁２の底辺の角部に設ける。また、前記第２取付金具５によって端部用サイディング材３ａの頂点部３１を、前記妻壁２の傾斜に沿うようにして妻壁２の表面に設けるとともに、前記第３取付金具６によって端部用サイディング材３ａの直角部３２を、前記妻壁２の底辺に沿うようにして妻壁２の表面に設けるようにする。
なお、これら端部用サイディング材３ａの取り付けに使用した第２取付金具５および第３取付金具６は、端部用サイディング材３ａに隣り合う中央部用サイディング材３ｂの取り付けにも使用される。
【００６９】
一方、前記中央部用サイディング材３ｂを取り付ける際は、隣り合う第２取付金具５，５間、および隣り合う第３取付金具６，６間に配置して取り付けるようにする。
なお、前記第２取付金具５および第３取付金具６は、第２取付金具５が妻壁２の傾斜に沿っており、第３取付金具６が妻壁２の底辺に沿っているので、第２取付金具５の下方に第３取付金具６が設けられるような位置関係となっている。つまり、１枚の中央部用サイディング材３ｂは、上辺３５の両端部に２つの第２取付金具５，５が設けられ、下辺３６の両端部に２つの第３取付金具６，６が設けられることとなる。
【００７０】
また、上述した、上縁が妻壁２の頂点に合わせて山形に形成された中央部用サイディング材３ｂと、この中央部用サイディング材３ｂの左右に設けられる中央部用サイディング材３ｂとは、前記第２取付金具５および第３取付金具６によって取り付けることができる。なお、この中央部用サイディング材３ｂの頂点には、例えば妻壁２の表面に固定される本体部や、山形の押込部を有するような専用の取付金具（図示せず）を、適宜用いるようにしても良い。
【００７１】
そして、前記第２取付金具５と第３取付金具６との間には、これら第２取付金具５と第３取付金具６との中間部において、サイディング材３の取り付けの補助的な役割を果たす第４取付金具７を設ける。
すなわち、この第４取付金具７は、前記第３取付金具６と同様に金具本体７０と、この金具本体７０の表面に設けられる係合部７１と、金具本体７０の上下縁部に設けられる上側支持脚６２および下側支持脚６３とを備えている。そして、このような第４取付金具７の係合部７１を、前記左右のサイディング材３ａ，３ｂの各縁部に設けられた被係合部３０ｂ，３３ａ，３４ａに係合させることで、前記左右のサイディング材３ａ，３ｂの左右および前後方向への位置ずれをより一層確実に防ぐことができる。
【００７２】
以上のような方法によって、前記端部用サイディング材３ａおよび中央部用サイディング材３ｂを、前記妻壁２の表面に設けることができる。
【００７３】
本実施の形態によれば、第１取付金具４が端部用サイディング材３ａの先端部３０に係合するので、この第１取付金具４を妻壁２の底辺の両角部に設けることによって、前記端部用サイディング材３ａの先端部３０を、妻壁２に、釘打ちなしで確実に取付固定することができる。
また、第２取付金具５および第３取付金具６が、隣り合う左右のサイディング材３ａ，３ｂにそれぞれ係合するので、これら第２取付金具５および第３取付金具６を妻壁２表面の所定位置に設けることによって、前記端部用サイディング材３ａと中央部用サイディング材３ｂ、および、中央部用サイディング材３ｂ，３ｂどうしを並設して妻壁２に設けることができ、各サイディング材３ａ，３ｂの取付固定を釘打ちなしで確実に行うことができる。
これによって、従来とは異なり、サイディング材３表面に露出する釘頭の補修作業や、釘打ちによって破損したサイディング材３の修復・交換作業等、サイディング材３の取付固定に係る作業手間を軽減できるので、施工性の向上を図ることが可能となる。
【００７４】
そして、前記第１取付金具４によって、前記端部用サイディング材３ａの先端部３０の上方および下方への位置ずれを防ぐことができ、前記第２取付金具５によって、隣り合う左右のサイディング材３ａ，３ｂの上方への位置ずれを防ぐことができ、さらに、前記第３取付金具６によって、隣り合うサイディング材３ａ，３ｂの下方への位置ずれを防ぐことができるので、各サイディング材３ａ，３ｂの上下方向への位置ずれを確実に防ぐことができる。
これによって、従来とは異なり、隣り合うサイディング材３ａ，３ｂ間の目地幅にばらつきが生じることを確実に防ぐことができるので、妻壁２全体の外観性の向上を図ることができる。
【００７５】
（第２の実施の形態）
次に、図面を参照して本発明の第２の実施の形態について説明する。なお、説明の便宜上、上述した第１の実施の形態とは異なる構成部分のみについて説明する。
【００７６】
本実施の形態のサイディング材３Ａの取付構造は、図４および図５に示すように、前記第１取付金具４Ａの金具本体４０Ａおよび前記第２取付金具５Ａの金具本体５０Ａに、これら第１および第２取付金具４Ａ，５Ａを、妻壁２を構成する妻壁パネル２Ａの上端面に固定するためのパネル固定部４５Ａ，５５Ａが設けられている。
【００７７】
ここで、前記第１取付金具４Ａは、図５（ａ）に示すように、前記妻壁パネル２Ａの底辺の角部に端部用サイディング材３Ａａの先端部３０を取り付けるためのものであり、前記パネル固定部４５Ａは、端部用サイディング材３Ａａの上端面に当接して、これを押さえ込む押込部４３Ａと並ぶようにして前記金具本体４０Ａに設けられている。
前記パネル固定部４５Ａは、前記押込部４３Ａとは逆方向に折曲加工されているとともに、このパネル固定部４５Ａを前記妻壁パネル２Ａの上端面にネジ止めして固定するためのネジ孔４５Ａａが形成されている。
【００７８】
また、前記第２取付金具５Ａは、図５（ｂ）に示すように、前記妻壁パネル２Ａの傾斜に沿って設けられ、隣り合う左右のサイディング材３Ａａ，３Ａｂにそれぞれ係合しつつ、これらサイディング材３Ａａ，３Ａｂを上方から押さえ込むものであり、前記パネル固定部５５Ａは、左右のサイディング材３Ａａ，３Ａｂの上端面に当接して、これを押さえ込む押込部５３Ａと並ぶようにして前記金具本体５０Ａに設けられている。
この第２取付金具５Ａのパネル固定部５５Ａにも、第１取付金具４Ａのパネル固定部４５Ａと同様にネジ孔５５Ａａが形成されている。
なお、前記隣り合う左右のサイディング材３Ａａ，３Ａｂとは、前記端部用サイディング材３Ａａと中央部用サイディング材３Ａｂとの組み合わせ、および、中央部用サイディング材３Ａｂ，３Ａｂどうしの組み合わせを含む。
【００７９】
なお、図５（ｃ）に示すように、前記妻壁パネル２Ａの底辺に沿って設けられ、左右のサイディング材３Ａａ，３Ａｂに係合しつつ、これらサイディング材３Ａａ，３Ａｂを下方から支承する第３取付金具６Ａの構成は、上述の第１の実施の形態と略同様であるため説明を省略する。
【００８０】
次に、以上のようなサイディング材３Ａの取付構造を施工する際に、前記妻壁パネル２Ａの表面にサイディング材３Ａを取り付ける方法について説明する。
【００８１】
まず、前記第１および第２取付金具４Ａ，５Ａの各パネル固定部４５Ａ，５５Ａを、前記妻壁パネル２Ａの上端面に固定するようにして、第１取付金具４Ａおよび第２取付金具５Ａを前記妻壁パネル２Ａ表面の所定位置に設ける。そして、第３取付金具６Ａも妻壁パネル２Ａ表面の所定位置に設けて、その後、各サイディング材３Ａａ，３Ａｂの取付作業を行っていくようにする。
【００８２】
すなわち、上述した第１の実施の形態と同じように、前記第１〜第３取付金具４Ａ，５Ａ，６Ａによって、前記端部用サイディング材３Ａａを妻壁パネル２Ａの表面に取り付けるとともに、前記第２および第３取付金具５Ａ，６Ａによって、前記中央部用サイディング材３Ａｂを妻壁パネル２Ａの表面に取り付けていく。このようにして、図４に示すように、予めサイディング材３Ａが取り付けられた状態の妻壁パネル２Ａを構成することができる。
【００８３】
本実施の形態によれば、上述した第１の実施の形態と同様の効果を得ることができるとともに、予めサイディング材３Ａが取り付けられた状態の妻壁パネル２Ａを現場へ搬送することによって、現場での施工効率を格段に向上させることが可能となる。
【図面の簡単な説明】
【００８４】
【図１】本発明に係る第１の実施の形態のサイディング材の取付構造を示す正面図である。
【図２】図１に示すサイディング材の取付構造に用いられる取付金具を示す斜視図であり、（ａ）は第１取付金具であり、（ｂ）は第２取付金具であり、（ｃ）は第３取付金具である。
【図３】各取付金具の取付位置を示す斜視図である。
【図４】本発明に係る第２の実施の形態のサイディング材の取付構造を示す斜視図である。
【図５】図４に示すサイディング材の取付構造に用いられる取付金具を示す斜視図であり、（ａ）は第１取付金具であり、（ｂ）は第２取付金具であり、（ｃ）は第３取付金具である。
【符号の説明】
【００８５】
１  屋根
２  妻壁
３  サイディング材
３ａ  端部用サイディング材
３ｂ  中央部用サイディング材
４  第１取付金具
５  第２取付金具
６  第３取付金具
【図１】
0004690252.tif 000002
【図２】
0004690252.tif 000003
【図３】
0004690252.tif 000004
【図４】
0004690252.tif 000005
【図５】
0004690252.tif 000006